(57)【特許請求の範囲】
【請求項１】
温度や応力変更などによって屈折率を変化させることによって光信号の透過波長特性を変化させる光部品を用いて光伝送路の分散特性に起因して発生する光信号の波形劣化を補償する分散補償装置であって、
前記光信号の波形劣化に対する補償の度合いを示す分散補償値の変化に伴って前記光部品の屈折率を調整しなかった場合の前記光信号の誤り率を示す誤り率情報を記録する誤り率情報記録手段と、
前記分散補償値が変化した場合に、変化後の前記分散補償値と前記誤り率情報とを基にして、変化後の前記分散補償値に対応する誤り率が所定値以上の場合に前記光部品の屈折率を調整すると判定する屈折率調整判定手段と、
を備えたことを特徴とする分散補償装置。
【発明の詳細な説明】
【技術分野】
【０００１】
本発明は、分散補償装置に関する。
【背景技術】
【０００２】
近年のインターネットの普及によって、光通信システムには、大容量化および高速化が
求められている。そして、この大容量化および高速化の要求から、現在の光通信システム
における通信速度は、１０Ｇｂ／ｓを既に達成し、次世代の光通信システムの通信速度で
ある４０Ｇｂ／ｓの実現に向けて開発が進められている。
【０００３】
しかし、通信速度が４０Ｇｂ／ｓになると、光ファイバ中を伝搬する際の光の波長分散
を無視することができず、この波長分散によって信号光波形歪などが発生し、誤り率（ペ
ナルティ）の増加を招来することになる。そこで、従来では、波長分散を補償すべくＶＩ
ＰＡ（Virtually  Imaged  Phased  Array）分散補償器等の分散補償器が用いられていた
。
【０００４】
図１５は、ＶＩＰＡ分散補償器の構成を示す図である。図１５において、分散補償すべ
き光信号は、光サーキュレータ１０を介して集光レンズ系１１に入力され、ＶＩＰＡ板１
２に入力される。光信号は、ＶＩＰＡ板１２で多重反射をするが、波長毎の反射方向が異
なるようにＶＩＰＡ板１２から出射される。出射された光信号は、焦点レンズ１３を介し
て自由曲面ミラー１４到達し、この自由曲面ミラー１４によって反射され、再度ＶＩＰＡ
板１２に入射するが、ＶＩＰＡ板１２では、反射された光信号の入射位置によって多重反
射回数が異なり、これによって波長毎の光路差が異なるようにして集光レンズ系１１に戻
すようにしている。
【０００５】
この結果、自由曲面ミラー１４の反射特性を変化させる（自由曲面ミラー１４上で、光
信号の反射位置を変更する）ことによって所望の分散補償値を得ることができるようにし
ている。例えば、入射する光信号を自由曲面ミラー１４の凹部分で反射させると、分散補
償値は正となり、入射する光信号を自由曲面ミラー１４の凸部分で反射させると、分散補
償値は負となる。
【０００６】
また、ＶＩＰＡ分散補償器は、主に、光信号の透過特性が損失軸に対して非対称である
という理由により、分散補償値ごとに透過中心波長が少しずつ異なるため、分散補償値ご
とに透過波長を調整する必要があった。そこで、分散補償値を変更するたびにＶＩＰＡ板
１２の温度を調整し、ＶＩＰＡ板１２の屈折率を変化させることによって透過波長を調整
する方法が適用されている（特許文献１参照）。なお、ＶＩＰＡ分散補償器以外の分散補
償器としては、ＦＢＧ（Fiber  Bragg  Grating）が利用されている（特許文献２参照）
。
【０００７】
【特許文献１】特開２００５−７７９６９号公報
【特許文献２】特開２００１−９９７０９号公報
【発明の開示】
【発明が解決しようとする課題】
【０００８】
しかしながら、上述した従来の技術では、光信号の波長分散を効率よく補償することが
できないという問題があった。
【０００９】
具体的には、ＶＩＰＡ分散補償器のように、透過特性が損失軸に対して非対称な場合、
透過波長を光信号に対して最適な値（ペナルティの最も少なくなる波長）に設定する必要
があるが、この最適値は光信号のビットレートや変調方式によって異なるため、信号光種
類によっては透過波長特性が必ずしも最適ではなく、効率よく波長分散を補償することが
できなかった。
【００１０】
また、特許文献１のように分散補償値を変更するたびにＶＩＰＡ板１２の温度を調整す
る方法では、温度調整による透過波長制御が安定するまでに分単位の時間がかかり、透過
波長が安定するまでは、波長分散を補償することができなかった。図１６は、温度調整を
行った場合の透過波長のずれと時間との関係を示す図である。同図に示すように、温度調
整による透過波長制御が安定するまでに５分程度の時間が必要となることがわかる。
【００１１】
本発明は、上記に鑑みてなされたものであって、光信号の波長分散を効率よく補償する
ことができる分散補償装置を提供することを目的とする。
【課題を解決するための手段】
【００１２】
上述した課題を解決し、目的を達成するために、本発明は、温度や応力変更などの屈折
率変化手段を用いて光信号の透過波長特性を変化させる光部品を用いて光伝送路の分散特
性に起因して発生する光信号の波形劣化を補償する分散補償装置であって、前記光信号の
特徴と当該光信号に対する誤り率が所定値以下となる基準値との関係を示す基準値情報を
記録する基準値情報記録手段と、補償対象となる光信号の特徴と前記基準値情報とを基に
して基準値を特定し、特定した基準値を用いて前記光部品の温度または応力を変更して、
光部品の屈折率を調整する屈折率調整手段と、を備えたことを特徴とする。
【００１３】
また、本発明は、上記発明において、前記光信号の特徴は、光信号の波長、ビットレー
ト、変調方式および波長間隔のうち少なくとも一つを含んでいることを特徴とする。
【００１４】
また、本発明は、上記発明において、前記屈折率調整手段は、前記光信号の波形劣化に
対する補償の度合いを示す分散補償値を一定に保ったまま前記光部品の屈折率を調整する
ことを特徴とする。
【００１５】
また、本発明は、温度や応力変更などの屈折率変化手段を用いて光信号の透過波長特性
を変化させる光部品を用いて光伝送路の分散特性に起因して発生する光信号の波形劣化を
補償する分散補償装置であって、前記光信号の波形劣化に対する補償の度合いを示す分散
補償値の変化に伴って前記光部品の屈折率を調整しなかった場合の前記光信号の誤り率を
示す誤り率情報を記録する誤り率情報記録手段と、前記分散補償値が変化した場合に、当
該分散補償値と前記誤り率情報とを基にして前記光部品の屈折率を調整するか否かを判定
する屈折率調整判定手段と、を備えたことを特徴とする。
【００１６】
また、本発明は、上記発明において、前記屈折率調整判定手段は、変化後の前記分散補
償値と前記誤り率情報とを基にして、変化後の前記分散補償値に対応する誤り率が所定値
以上の場合に前記光部品の屈折率を調整すると判定することを特徴とする。
【発明の効果】
【００１７】
本発明によれば、光信号の特徴とこの光信号に対する誤り率が所定値以下となる基準値
との関係を示す基準値情報を記録し、補償対象となる光信号を取得した場合に、この光信
号の特徴と基準値情報とを基にして基準値を特定し、特定した基準値を用いて光部品の屈
折率を調整するので、効率よく波長分散を補償することができる。
【００１８】
また、本発明によれば、基準値情報に記録される光信号の特徴は光信号の波長、ビット
レート、変調方式および波長間隔のうち少なくとも一つを含んでいるので、様々な特徴の
光信号に対して適切な波長分散補償を行うことができる。
【００１９】
また、本発明によれば、光信号の波形劣化に対する補償の度合いを示す分散補償値の変
化に伴って光部品の屈折率を調整しなかった場合の光信号の誤り率を示す誤り率情報を記
録し、分散補償値が変化した場合に、この分散補償値と誤り率情報とを基にして光部品の
屈折率を調整するか否かを判定するので、不必要な屈折率調整を省略することができる。
【００２０】
また、本発明によれば、変化後の分散補償値と誤り率情報とを基にして、変化後の分散
補償値に対応する誤り率が所定値以上の場合に光部品の屈折率を調整すると判定するので
、効率よく波長分散を補償することができる。
【発明を実施するための最良の形態】
【００２１】
以下に、本発明にかかる分散補償装置の実施例を図面に基づいて詳細に説明する。なお
、この実施例によりこの発明が限定されるものではない。
【実施例】
【００２２】
まず、本実施例にかかる分散補償装置の概要および特徴について説明する。本実施例に
かかる分散補償装置は、光信号の特徴を示す情報（光信号の波長、ビットレート、変調方
式、波長間隔などを示す情報；以下、光信号情報と表記する）と光信号に設定された分散
補償値によって発生する誤り率（以下、ペナルティと表記する）が所定値以下となる基準
値との関係を示す基準値情報を基にして光部品（例えばＶＩＰＡ板など）の屈折率を調整
する。
【００２３】
このように、本実施例にかかる分散補償装置は、光信号情報および基準値情報を基にし
て光部品の屈折率を調整するので、様々な光信号の特徴に対応することができ、効率よく
光信号の波長分散を補償することができる。
【００２４】
また、本実施例にかかる分散補償装置は、光信号に対する分散補償値の調整に伴って光
部品の屈折率を最適に調整しなかった場合の光信号に起因するペナルティ（以下、フィル
タリングペナルティ）を示すフィルタリング誤り情報を保持し、分散補償値を調整した場
合に、このフィルタリング誤り情報を基にして光部品の屈折率を調整するか否かを判定す
る（フィルタリングペナルティの値が所定値以下の場合には、光部品の屈折率調整を行わ
ないと判定する）。
【００２５】
このように、本実施例にかかる分散補償値は、分散補償値を調整した場合に、フィルタ
リング誤り情報を基にして、光部品の屈折率を調整するか否かを判定するので、不必要な
温度調整などを省略することができ（温度調整による透過波長制御が安定するまでの時間
を省略することができ）、効率よく波長分散を補償することができる。
【００２６】
つぎに、本実施例にかかる分散補償装置の構成について説明する。図１は、本実施例に
かかる分散補償装置１００の構成を示す図である。同図に示すように、この分散補償装置
１００は、可変分散補償器１１０と、光受信回路１２０と、誤り訂正回路１３０と、制御
回路１４０とを備えて構成される。
【００２７】
このうち、可変分散補償器１１０は、光信号の波長分散を可変に補償することが可能な
公知の光ディバイスである。具体的には、ＶＩＰＡ分散補償器（図１５参照）やＦＢＧ（
Fiber  Bragg  Grating）を利用した光ディバイスを用いることができる。なお、本実施
例では一例として、ＶＩＰＡ分散補償器を可変分散補償器１１０として用いることとする
が、これに限定されるものではない（ＦＢＧ等で代用可能である）。
【００２８】
光受信回路１２０は、可変分散補償器１１０から出力される光信号を受光して電気信号
に変換し、クロック再生およびデータ識別等の公知の受信処理を行い、その処理結果を示
す受信データ信号を誤り訂正回路１３０に出力する装置である。
【００２９】
誤り訂正回路１３０は、光受信回路１２０からの受信データ信号の誤りを訂正し、訂正
した受信データ信号を外部の装置に出力する装置である。また、誤り訂正回路１３０は、
光受信回路１２０からの受信データ信号からペナルティなどを測定し、測定したペナルテ
ィのデータ（以下、ペナルティデータ）を制御回路１４０に出力する。ペナルティを測定
する具体的な方法としては、例えば、受信データ信号のパリティチェックを行って符号誤
りを判断する方法などを利用してペナルティを測定することができる。
【００３０】
制御回路１４０は、波長分散を補償するために可変分散補償器１１０のＶＩＰＡ板１２
の温度調整（ＶＩＰＡ板１２の温度を調整することによって、ＶＩＰＡ板１２の屈折率を
調整することができる）および自由曲面ミラー１４の位置調整を行う装置である。図２は
、制御回路１４０の構成を示す機能ブロック図である。同図に示すように、この制御回路
１４０は、記憶部１５０と、制御部１６０と、入力受付部１７０とを備えて構成される。
【００３１】
記憶部１５０は、制御部１６０による各種処理に必要なデータおよびプログラムを記憶
する記憶手段であり、特に本発明に密接に関連するものとしては、図２に示すように、ミ
ラー位置調整テーブル１５１と、透過特性データ１５２と、基準特定テーブル１５３と、
ＶＩＰＡ設定温度特定テーブル１５４と、ずれ量補正テーブル１５５と、ペナルティ管理
テーブル１５６とを備える。
【００３２】
ミラー位置調整テーブル１５１は、自由曲面ミラー１４（図１５参照）の位置と分散補
償値との関係を示すテーブルである。図３は、ミラー位置調整テーブル１５１の一例を示
す図である。同図に示すように、このミラー位置調整テーブル１５１には、分散補償値に
対応する自由曲面ミラーの位置が記録されている。
【００３３】
透過特性データ１５２は、所定のＶＩＰＡ板１２（図１５参照）の温度、所定の外気温
度における光信号の波長（Wavelength）と透過率（Transmittance）との関係を示すデー
タである。図４は、透過特性データ１５２の一例を示す図である。同図に示すように、光
信号の透過特性は、分散補償値ごとにそれぞれ異なっている。
【００３４】
基準特定テーブル１５３は、光信号情報と、この光信号情報に最適な基準（透過中心波
長を特定するための基準）とを関連付けたテーブルである。図５は、基準特定テーブル１
５３の一例を示す図である。同図に示すように、この基準特定テーブル１５３では、ビッ
トレートおよび変調方式に対応する適切な基準が対応付けられて記憶されている。以下に
おいて、基準（ｘｄＢ  ｄｏｗｎ）およびその基準によって特定される透過中心波長の説
明を行う。
【００３５】
図６は、基準およびその基準によって特定される透過中心波長の説明を補足するための
図である。なお、ここでは、説明の便宜上、３ｄＢ  ｄｏｗｎについて説明する。基準が
３ｄＢ  ｄｏｗｎとは、透過特性データのピーク値（透過率が最大となる値）から３ｄＢ
低い位置を基準とすることを意味する。例えば、透過特性データのピーク値が−１３ｄＢ
の時には、基準「３ｄＢ  ｄｏｗｎ」は「−１６ｄＢ」となる（なお、各基準は、分散補
正値ごとに異なる）。
【００３６】
続いて、基準から透過中心波長を特定する方法を図６を用いて説明する。基準を３ｄＢ
ｄｏｗｎとして説明すると、まず透過特性データによる波形が「−１６ｄＢ」の透過率と
交わる波長を特定し、この波長から透過中心波長が算出できる。具体的に説明すると、透
過特性データによる波形が透過率「−１６ｄＢ」と交わる波長は、「１５８０．９６ｎｍ
」と「１５８１．４ｎｍ」となるため、各波長の中心、すなわち「１５８１．１８ｎｍ」
が透過中心波長となる。光信号の透過特性が損失軸（透過率にかかる軸）に対して非対称
である場合には、分散補償値ごとに透過中心波長が異なる。
【００３７】
続いて、分散補償値および各基準（ピーク値〜１２ｄＢ  ｄｏｗｎ）の透過中心波長と
最適波長（信号光ペナルティが最小となる波長）との波長ずれ（波長ずれが大きいほどペ
ナルティが大きくなる）の関係について説明する。図７は、所定の光信号情報に対する分
散補償値と波長ずれとの関係を示す図である。同図に示す例では、６〜１２ｄＢ  ｄｏｗ
ｎの透過中心波長において、ペナルティが小さくなることがわかる。すなわち、６〜１２
ｄＢ  ｄｏｗｎの基準を用いて透過中心波長を特定し、可変分散補償器１１０を調整すれ
ばよいことになる。
【００３８】
図７に示した特性は、光信号情報ごとに異なるため、光信号情報ごとに各基準の透過中
心波長と最適な中心波長（ペナルティが所定値以下となるような透過中心波長）との差（
分散補正値ごとの差）を実験あるいはシミュレーションによって予め求めておくことで、
各光信号情報に対する最適な基準（ペナルティが所定値以下となるような基準。図７に示
す場合の基準は、６〜１２ｄＢ  ｄｏｗｎとなる）を作成することができる（図５参照）
。
【００３９】
図２の説明に戻ると、ＶＩＰＡ設定温度特定テーブル１５４は、各基準に対する透過中
心波長と信号光波長（ＩＴＵ−Ｔ  Ｇｒｉｄによって定義されている値）とのずれ量を一
致するためのＶＩＰＡ板１２の温度を特定するテーブルである。図８は、ＶＩＰＡ設定温
度特定テーブルの一例を示す図である。
【００４０】
図８より、例えば、分散補償値「−１２００」、ＶＩＰＡ板温度「８０℃」、外気温度
「２５℃」、ずれ量「Δλ１」である場合には、ＶＩＰＡ板の温度を「８０℃＋Δλ１×
Ａ（ＡはＶＩＰＡ板温度変化１度あたりの透過特性波長シフト量を示す定数）」に設定す
ることとなる。なお、図８に示すΔλ１〜７は、外気温度と分散補償値とによって導かれ
る値である。なお、ここでは、説明の便宜上、基準が６ｄＢ  ｄｏｗｎとなる透過中心波
長のずれ量にかかるＶＩＰＡ板１２の設定温度のみを示しているが、その他の基準（×ｄ
Ｂ  ｄｏｗｎ）にかかる透過中心波長のずれ量とＶＩＰＡ板１２の設定温度との関係を示
す情報も備える。
【００４１】
ずれ量補正テーブル１５５は、ＶＩＰＡ設定温度特定テーブル１５４のずれ量（最適な
透過中心波長と各基準に対する透過中心波長とのずれ量）を補正する情報を備えたテーブ
ルである。図９は、ずれ量補正テーブル１５５の一例を示す図である。同図に示すように
、このずれ量補正テーブル１５５は、外気温度および分散補償値に対するずれ量を記憶し
ている。すなわち、ＶＩＰＡ設定温度特定テーブル１５４のずれ量（図８参照）は、外気
温度および分散補償値が変わるごとに、ずれ量補正テーブルのずれ量と交換される。例え
ば、外気温度「２５℃」、分散補償値「−１２００ｎｍ」であった環境が、外気温度「１
０℃」、分散補償値「−１２００ｎｍ」に変化した場合は、図８に示すずれ量Δλ１は、
図９に示すずれ量Δλ１−１と交換される。
【００４２】
ペナルティ管理テーブル１５６は、透過中心波長のずれ量Δλと、フィルタリングペナ
ルティの大きさ（ＶＩＰＡ板１２の温度調整を行っていない場合のフィルタリングペナル
ティの大きさ）との関係を示すテーブルである。図１０は、ペナルティ管理テーブル１５
６の一例を示す図である。このペナルティ管理テーブル１５６は、光信号に対する実験お
よびシミュレーションなどによって予め求められているものとする。
【００４３】
図１１は、分散補償値の変化に伴ってＶＩＰＡ板１２の温度を調整した場合と、調整し
なかった場合のペナルティの関係を示す図である。同図に示すように、分散補償値が所定
の範囲内で変化する場合には、温度調整を行った場合のペナルティと温度調整を行わなか
った場合のペナルティの大きさはほとんど変わらない。ＶＩＰＡ板１２の温度を変化させ
た場合に、透過波長制御が安定するまで分単位の時間が必要となることを鑑みれば、ＶＩ
ＰＡ板１２の温度を調整した場合のペナルティとＶＩＰＡ板１２の温度を調整しなかった
場合のペナルティとの差が所定値以上の場合にＶＩＰＡ版の温度を調整すればよく、それ
以外は、ＶＩＰＡ板１２の温度を変化させないことによって、効率よく光信号の波長分散
を補償することができる。
【００４４】
また、分散補償値の変化に伴ってＶＩＰＡ板１２の温度を調整しなかった場合のフィル
タリングペナルティの大きさが許容値を下回っている場合にも、同様に、ＶＩＰＡ板１２
の温度調整を行う必要はない。
【００４５】
図２の説明に戻ると、制御部１６０は、各種の処理手順を規定したプログラムや制御デ
ータを格納するための内部メモリを有し、これらによって種種の処理を実行する制御手段
であり、特に本発明に密接に関連するものとしては、基準特定部１６１と、分散補償値設
定部１６２と、ＶＩＰＡ板温度調整部１６３とを備える。なお、制御回路１４０に入力さ
れる種種のデータは、入力受付部１７０を介して制御部１６０に入力される。
【００４６】
基準特定部１６１は、光信号情報を取得し、取得した光信号情報と基準特定テーブル１
５３とを基にして、基準（×ｄＢ  ｄｏｗｎ）を特定する処理部である。光信号情報は、
分散補償装置１００の管理者によって分散補償装置１００に入力される。
【００４７】
分散補償値設定部１６２は、誤り訂正回路１３０からペナルティデータを取得し、ペナ
ルティの値が所定値以下あるいは最小値となるように可変分散補償器１１０の分散補正値
を調整する処理部である。図１２は、残留分散値とペナルティとの関係を示す図である。
同図に示すように、光信号の分散値と可変分散補償器１１０にかかる分散補償値との差（
すなわち、残留分散値）が最適値（例えば、残留分散値０ｎｐ／ｎｍ）からずれることに
よって、ペナルティが大きくなる。分散補償値設定部１６２は、残留分散値が最適値をと
るように、可変分散補償器１１０の自由曲面ミラー１４を調整する。
【００４８】
誤り訂正回路１３０から出力されるペナルティデータを基にして残留分散値を算出する
ことはできないが、分散補償値設定部１６２は、ペナルティが最小値を取るように自由曲
面ミラー１４を調整することによって残留分散値を最適値に設定することができる。
【００４９】
ＶＩＰＡ板温度調整部１６３は、分散補償値設定部１６２によって分散補償値が変更さ
れた場合に、変更した分散補正値に対応するようにＶＩＰＡ板１２の温度を調整する処理
部である（ＶＩＰＡ板１２の温度を調整することによってＶＩＰＡ板１２の屈折率を調整
することができる）。具体的に、ＶＩＰＡ板温度調整部１６３は、基準特定部１６１によ
って特定された基準（×ｄＢ  ｄｏｗｎ）と、分散補償値設定部１６２によって設定され
た分散補償値および透過特性データを基にして透過中心波長を特定し、透過中心波長とＩ
ＴＵ−Ｔ  Ｇｒｉｄによって定義された信号光の中心波長とのずれ量を算出する。
【００５０】
そして、ＶＩＰＡ板温度調整部１６３は、算出したずれ量、外気温度および分散補償値
と、ＶＩＰＡ設定温度特定テーブル１５４とを比較して、ＶＩＰＡ板１２の設定温度を特
定し、ＶＩＰＡ板１２の温度を調整する。
【００５１】
また、ＶＩＰＡ板温度調整部１６３は、分散補償値設定部１６２によって変更された分
散補償値および基準（ｘｄＢ  ｄｏｗｎ）によって特定される透過中心波長とＩＴＵ−Ｔ
Ｇｒｉｄによって定義された信号光の中心波長とのずれ量を、ペナルティ管理テーブル
１５６と比較し、ＶＩＰＡ板１２の温度調整を行うか否かを判定する。
【００５２】
そして、ＶＩＰＡ板１２の温度を調整しない場合であってもペナルティが所定値以下と
なる場合、あるいは、ＶＩＰＡ板１２の温度を調整した場合のペナルティとＶＩＰＡ板１
２の温度を調整しなかった場合のペナルティとの差が所定値を下回った場合には、ＶＩＰ
Ａ板１２の温度調節を行わない。このように、ＶＩＰＡ板温度調整部１６３が、ＶＩＰＡ
板１２の不要な温度調節を省略することによって、効率よく光信号の波長分散を実行する
ことができる。
【００５３】
つぎに、本実施例にかかる分散補償装置１００の処理について説明する。図１３および
図１４は、本実施例にかかる分散補償装置１００の処理手順を示すフローチャートである
。同図に示すように、分散補償装置１００は、各種データ（ミラー位置調整テーブル１５
１、透過特性データ１５２、基準特定テーブル１５３、ＶＩＰＡ設定温度特定テーブル１
５４、ずれ量補正テーブル１５５およびペナルティ管理テーブル１５６）を取得して記憶
部１５０に記憶する（ステップＳ１０１）。
【００５４】
そして、ＶＩＰＡ板温度調整部１６３がフィルタリングペナルティの許容値を取得し（
ステップＳ１０２）、基準特定部１６１が光信号情報を取得し（ステップＳ１０３）、基
準特定部１６１が光信号情報を基にして基準（×ｄＢ  ｄｏｗｎ）を特定し（ステップＳ
１０４）、分散補償装置１００は、最適残留分散値検索を実行するか否かを判定する（ス
テップＳ１０５）。
【００５５】
最適残留分散値検索を実行しない場合には（ステップＳ１０６，Ｎｏ）、分散補償値設
定部１６２は予め定められた分散補償値D＿opeを取得し（ステップＳ１０７）、可変分散
補償器１１０を制御して、分散補償値をD＿opeに設定する（ステップＳ１０８）。
【００５６】
ＶＩＰＡ板温度調整部１６３は、分散補償値D＿opeで、透過中心波長がＩＴＵ−Ｔ  Ｇ
ｒｉｄに合うようにＶＩＰＡ板１２の温度を設定し（ステップＳ１０９）、ステップ１１
３に移行する（ステップＳ１１３に関する説明は後述する）。
【００５７】
一方、最適残留分散値検索を実行する場合には（ステップＳ１０６，Ｙｅｓ）、ＶＩＰ
Ａ板温度調整部１６３が、ある分散補正値（例えば、０ｐｓ／ｎｍ）で、透過中心波長が
ＩＴＵ−Ｔ  Ｇｒｉｄに規定された波長にあうようにＶＩＰＡ板１２の温度を設定する（
ステップＳ１１０）。
【００５８】
そして、分散補償値設定部１６２は、ＶＩＰＡ板１２の温度を一定に保ったままペナル
ティが最小となる分散補償値D＿optを検出し（ステップＳ１１１）、ＶＩＰＡ板温度調整
部１６３は、分散補償値D＿optで、透過中心波長がＩＴＵ−Ｔ  Ｇｒｉｄに規定された波
長にあうようにＶＩＰＡ板１２の温度を設定し（ステップＳ１１２）、システムの運用を
開始する（ステップＳ１１３）。
【００５９】
そして、分散補償装置１００は、システム運用中に最適分散値検索を実行するか否かを
判定し（ステップＳ１１４）、実行しない場合には（ステップＳ１１５，Ｎｏ）、分散補
償値とＶＩＰＡ板温度とを一定に保ったままシステムの運用を継続した後（ステップＳ１
１６）、処理を終了する。
【００６０】
一方、システム運用中に最適分散値検索を実行する場合には（ステップＳ１１５，Ｙｅ
ｓ）、分散補償値設定部１６２が最適な分散補償値を検出し（ステップＳ１１７）、ＶＩ
ＰＡ板温度調整部１６３が分散補償値変更によるフィルタリングペナルティが許容値より
も小さいか否かを判定する（ステップＳ１１８）。
【００６１】
分散補償値変更によるフィルタリングペナルティが許容値よりも小さい場合には（ステ
ップＳ１１９，Ｙｅｓ）、ＶＩＰＡ板温度調整部１６３はＶＩＡＰ版１２の温度を一定に
保ち（ステップＳ１２０）、ステップＳ１１７に移行する。一方、分散補償値変更による
フィルタリングペナルティが許容値以上の場合には（ステップＳ１１９，Ｎｏ）、ＶＩＰ
Ａ板温度調整部１６３は、変更された分散補償値の透過中心波長がＩＴＵ−Ｔ  Ｇｒｉｄ
に規定された波長に合うようにＶＩＰＡ板１２の温度を調整し（ステップＳ１２１）、ス
テップＳ１１７に移行する。
【００６２】
このように、基準特定部１６１が光信号情報を基にして基準を特定し、分散補償値設定
部１６２が残留分散値検索を実行するので、効率よく可変分散補償器１１０の調整を行う
ことができる。
【００６３】
上述してきたように、本実施例にかかる分散補償装置１００は、基準特定部１６１が光
信号情報および基準特定テーブル１５３を基にしてペナルティが所定値以下となる基準（
×ｄＢ  ｄｏｗｎ）を特定し、この特定された基準から導かれる透過中心波長がＩＴＵ−
Ｔ  Ｇｒｉｄに規定される値となるようにＶＩＰＡ板温度調整部１６３がＶＩＰＡ板１２
の温度を調整するので、様々な光信号の特徴に対応して効率よく波長分散を補償すること
ができる。
【００６４】
また、本実施例にかかる分散補償装置１００は、分散補償値設定部１６２が最適残留分
散値検索を行った場合に、ＶＩＰＡ板温度調整部１６３がペナルティ管理テーブル１５６
を基にしてフィルタリングペナルティが所定値以下となるか否かを判定し、フィルタリン
グペナルティが所定値以下となる場合には、ＶＩＰＡ板１２の温度調整を行わないので、
不必要な温度調整を省略することができ（温度調整による透過波長制御が安定するまでの
時間を省略することができ）、効率よく波長分散を補償することができる。
【００６５】
なお、本実施例では、ＶＩＰＡ板温度調整部１６３がＶＩＰＡ板１２の温度を調整して
、ＶＩＰＡ板１２の屈折率を変化させていたが、これに限定されるものではなく、ＶＩＰ
Ａ板１２に応力を加えることによって、屈折率を変化させても良い。
【産業上の利用可能性】
【００６６】
以上のように、本発明にかかる分散補償装置は、光伝送路の分散特性に起因して発生す
る信号の波形劣化を効率よく補償する必要のある光通信システムなどに対して有用である
。
【図面の簡単な説明】
【００６７】
【図１】図１は、本実施例にかかる分散補償装置の構成を示す図である。
【図２】図２は、制御回路の構成を示す機能ブロック図である。
【図３】図３は、ミラー位置調整テーブルの一例を示す図である。
【図４】図４は、透過特性データの一例を示す図である。
【図５】図５は、基準特定テーブルの一例を示す図である。
【図６】図６は、基準およびその基準によって特定される透過中心波長の説明を補足するための図である。
【図７】図７は、所定の光信号情報に対する分散補償値と波長ずれとの関係を示す図である。
【図８】図８は、ＶＩＰＡ設定温度特定テーブルの一例を示す図である。
【図９】図９は、ずれ量補正テーブルの一例を示す図である。
【図１０】図１０は、ペナルティ管理テーブルの一例を示す図である。
【図１１】図１１は、分散補償値の変化に伴ってＶＩＰＡ板の温度を調整した場合と、調整しなかった場合のペナルティの関係を示す図である。
【図１２】図１２は、残留分散値とペナルティとの関係を示す図である。
【図１３】図１３は、本実施例にかかる分散補償装置の処理手順を示すフローチャート（１）である。
【図１４】図１４は、本実施例にかかる分散補償装置の処理手順を示すフローチャート（２）である。
【図１５】図１５は、ＶＩＰＡ分散補償器の構成を示す図である。
【図１６】図１６は、温度調整を行った場合の透過波長のずれと時間との関係を示す図である。
【符号の説明】
【００６８】
１０    光サーキュレータ
１１    集光レンズ系
１２    ＶＩＰＡ板
１３    焦点レンズ
１４    自由曲面ミラー
１００    分散補償装置
１１０    可変分散補償器
１２０    光受信回路
１３０    誤り訂正回路
１４０    制御回路
１５０    記憶部
１５１    ミラー位置調整テーブル
１５２    透過特性データ
１５３    基準特定テーブル
１５４    ＶＩＰＡ設定温度特定テーブル
１５５    ずれ量補正テーブル
１５６    ペナルティ管理テーブル
１６０    制御部
１７０    入力受付部
【図１】
0004774103.tif 000002
【図２】
0004774103.tif 000003
【図３】
0004774103.tif 000004
【図４】
0004774103.tif 000005
【図５】
0004774103.tif 000006
【図６】
0004774103.tif 000007
【図７】
0004774103.tif 000008
【図８】
0004774103.tif 000009
【図９】
0004774103.tif 000010
【図１０】
0004774103.tif 000011
【図１１】
0004774103.tif 000012
【図１２】
0004774103.tif 000013
【図１３】
0004774103.tif 000014
【図１４】
0004774103.tif 000015
【図１５】
0004774103.tif 000016
【図１６】
0004774103.tif 000017